Podtech/llm-jp-corpus-v4-ja_patent huggingface dataset:
(57)【要約】【課題】  本発明は、穴に箸などの長尺な棒を挿すことで、スポンジと箸を着脱可能にする構成のスポンジを使用する際、口の狭いびん内にスポンジが外れてしまい、取り残されたときに威力を発揮するものである。また、密閉容器の蓋の溝など、細かいところも洗うことのできる食器等用スポンジである。【解決手段】立方体の、一対の対面同士を中央で交差するように、対角に２本の箸挿入孔を設けたスポンジ本体に、硬くて焦げなどもこすりとることのできる不織布の小片を、スポンジ本体と該不織布にそれぞれ設けた穴に紐を通し、連結させたことを特徴とする、食器等用スポンジ。【選択図】図１
2012000402.tif 000002
【特許請求の範囲】
【請求項１】
立方体の、一対の対面同士を中央で交差するように、対角に２本の箸挿入孔を設けたスポンジ本体に、硬くて焦げなどもこすりとることのできる不織布の小片を、スポンジ本体と該不織布にそれぞれ設けた穴に紐を通し、連結させたことを特徴とする、食器等用スポンジ。
【発明の詳細な説明】
【技術分野】
【０００１】  本発明は、スポンジに箸挿入孔から箸を挿し２本の箸を握ることで、スポンジ本体と箸が固定される構造の食器用スポンジを使用するにあたって、スポンジ本体よりも口径のせまい水筒などを洗う場合において、万が一、箸から外れたスポンジが水筒内に取り残されてしまうことを想定した場合に、水筒内からスポンジを取り出し易くするために工夫した、食器等用スポンジに関するものである。
【背景技術】
【０００２】  従来、水筒の中を洗うときには、棒状の専用のボトル洗い具を使ったりしていた。
また、スポンジに対角状に箸を挿入し、箸を握ることで箸からスポンジが脱落しない構成のスポンたわしを使うことがあった。（特許文献１参照）
【先行技術文献】
【０００３】
【特許文献１】  特開２００６−３１１９９２号公報
【発明の概要】
【発明が解決しようとする課題】
【０００４】  そのために、以下のような場合には不便であった。
（イ）棒付の専用ボトル洗い具は、ボトルを洗うときだけに必要であり、使用しない場合    には邪魔であった。
（ロ）スポンジに箸挿入ガイド孔のある、棒とスポンジが着脱自在な構成の穴あきスポン    ジは、箸の握り方が弱かったり、スポンジが劣化して穴が大きくなってくると、棒か    らスポンジがはずれやすくなり、水筒内でスポンジがはずれてしまうと、取り出すこ    とが大変であった。
（ハ）デリケートな食器を洗うときには、研磨剤の入った不織布は不要だが、部分的にこ    すりたい場合には、不織布が必要となる。また、密閉容器などの蓋の溝など、細かい    ところを洗いたい場合には、立方体のスポンジでは細かいところに届きにくい。
本発明は、これらの題点を解決するためになされたものである。
【課題を解決するための手段】
【０００５】  立方体の、一対の対面同士を中央で交差するように、対角に２本の箸挿入孔を設けたスポンジ本体に、硬くて焦げなどもこすりとることのできる不織布の小片を、スポンジ本体と該不織布にそれぞれ設けた穴に紐を通し、連結させたことを特徴とする、食器等用スポンジ。
以上のように構成された食器等用スポンジ。
【発明の効果】
【０００６】  スポンジ本体に箸などを挿入して水筒などを洗うスポンジにおいて、万が一水筒内でスポンジがはずれてしまった場合にも、不織布部分が水筒の口径部分に垂れ下がるようになるので、不織布部分を簡単に手でつまみ、スポンジを引き出すことが可能である。
また、汚れ部分を強くこすりたいときには、不織布部分を使うことができる。
さらに不織布部分の厚みを利用して、密閉容器等の蓋の溝などを洗うことができる。
【図面の簡単な説明】
【０００７】
【図１】  本発明の斜視図である。
【図２】  本発明の側面図である。
【図３】  本発明の上面図である。
【図４】  本発明の使用状態を示した斜視図である。
【図５】  本発明の使用状態を示した斜視図である。
【図６】  （ａ．）（ｂ．）（ｃ．）は、本発明の実施の形態図である。
【発明を実施するための形態】
【０００８】  以下、本発明の実施の形態について説明する。
長尺状の立方体で、箸挿入穴（６）と箸挿入孔（７）を設けたスポンジ本体（１）に、スポンジ穴（５）を設ける。
また、不織布（２）にも不織布穴（３）を設け、それぞれの穴に紐（４）を通して輪にし、スポンジ本体（１）に、不織布（２）を移動可能に連結させる。
図４に示すように、スポンジ本体（１）の箸挿入孔（７）に菜ばしなどの長尺な棒を中央部分で交差するように挿入し、箸（１０）を２本まとめて持つと、箸の先にスポンジ本体が固定される。
しかしながら、図５に示したように、箸が抜けてしまい、びん（８）内にスポンジ本体が置き去りにされてしまった場合、びん口（９）より、不織布部分が垂れ下がっているので、不織布部分を容易につまみ、引っ張ることによって、水筒内のスポンジを取り出すことができる。
また、図６のａ，ｂ，ｃに示すように、不織布（２）の形状は問わない。
【符号の説明】
【０００８】１．スポンジ本体      ２．不織布      ３．不織布穴      ４．紐
５．スポンジ穴        ６．箸挿入穴    ７．箸挿入孔      ８．びん
９．びん口            １０．箸
【図１】
2012000402.tif 000003
【図２】
2012000402.tif 000004
【図３】
2012000402.tif 000005
【図４】
2012000402.tif 000006
【図５】
2012000402.tif 000007
【図６】
2012000402.tif 000008
(57)【要約】【課題】洗濯物を洗濯ばさみで挟むとき、把持部の手指の動線を短縮した洗濯ばさみを提供する。【解決手段】  挟持部が開いたとき挟持部に挟み込むような小片を設け  小片から連続した細い紐または棒部が  支点の滑動部の間の隙間を通り棒部の端が隙間から抜けないように端にストッパーを設け、狭持部で小片を挟むことにより把持部の手指の動線を短縮した洗濯ばさみ。【選択図】図４
2012000404.tif 000002
【特許請求の範囲】
【請求項１】
一端部を挟持部に他端部を把持部とし更に略中央位置を突起させて支点部とした一対の挟持部材が前記支点部を互いに軸止して開閉可能にした洗濯ばさみにおいて、前記挟持部と前記支点部間を切り欠けて空洞部を設け、ある程度移動した際に止まるストッパー機能付き小片を前記空洞部内に収納し、挟持部を開け下向きにした際に前記小片が前記挟持部に自然落下する構造にしたことを特徴とした洗濯ばさみ。
【発明の詳細な説明】
【技術分野】
【０００１】本発明は  洗濯物を挟むとき  挟持部があらかじめ開いた状態にできる洗濯ばさみに関するものである。
【背景技術】
【０００２】以前より  洗濯ばさみは端の把持部をつまむことにより他の端の挟持部が開き洗濯物をはずしたり挟んだりできる。
【特許文献１】  特開２００４−８１５４５
【発明の開示】
【発明が解決しようとする課題】
【０００３】しかしながら  関節リウマチなどの指の関節に傷害のある人にはピンチ動作で指の関節に痛みを訴える場合が多い。洗濯物をはずすとき挟持部が開くが  挟持部が開いたままで保持できれば次に挟むとき  把持部の手指の動線が短縮されて指への負担が少なくなる。本発明は以上の問題を解決しようとするものである。
【課題を解決するための手段】
【０００４】  そこで本発明は、一端部を挟持部に他端部を把持部とし更に略中央位置を突起させて支点部とした一対の挟持部材が、前記支点部を互いに軸止して開閉可能にした洗濯ばさみにおいて、前記挟持部と前記支点部間を切り欠けて空洞部を設け、ある程度移動した際に止まるストッパー機能付き小片を前記切り欠けた空洞部内に収納し、挟持部を開け下向きにした際に前記小片が前記挟持部に自然落下する構造にしたことを特徴とした洗濯ばさみを提供するものである。【０００５】  本発明を更に詳細に述べる。
本発明は小片とストッパーとその間をつなぐ連結部から構成される。小片は  切り欠き部（空洞部）に収納できる大きさで挟持部で挟まれたとき安定する形状である。小片から出る細い連結部の端にストッパーを設け、洗濯ばさみをぶら下げて狭持部を開いたとき小片が狭持部に自然落下して停止して狭持片の間に挟まれるようにする。【０００６】  更に、洗濯物が挟持部に入ってくると  小片は挟持部の奥にある切り欠き部に押され収納される。  小片が挟持片の間に残っても小片と挟持片の間に洗濯物を挟むことが可能であり小片の位置をあまり気にしないで洗濯ばさみを使用できる。
【発明の効果】
【０００７】本発明は  上記の様な構造をしているので、洗濯ばさみを開けるとき挟持片間に小片があるため把持部の手指の動線が短縮することにより手指への負担を軽減することが出来る。
【図面の簡単な説明】
【０００８】
【図１】基本的な洗濯ばさみの正面図である。
【図２】基本的な洗濯ばさみを把持部側から見た正面図。
【図３】本発明の挟み小片の斜視図である。
【図４】小片を狭持部で挟んだ正面図である。
【図５】小片が切り欠き部に収納された正面図である。
【図６】紐の連結部が支点周辺を貫通した正面図である。
【発明を実施するための形態】
【０００９】以下、本発明の実施の形態を説明する。
（イ）狭持部（１）に挟まる小片（１０）は洗濯ばさみの切り欠き部（空洞部）（４）に収納できる大きさで  厚さ数ｍｍ〜１０ｍｍ前後である。小片（１０）は挟持片（２）とも洗濯物が挟める形とする。
（ロ）小片（１０）に連続して細い連結部（１１）を設け  小片（１０）が挟持部（１）と切り欠き部（４）を往復できるように  支点（５）の滑動部（９）の間にある隙間（８）を通す。隙間（８）の代わりに図６のように切り欠き部（４）に連続するように貫通孔（１４）を設けて連結部を通しても良い。連結部は紐等の軟性素材でも樹脂等の硬性素材でも良い。小片（１０）が狭持片（２）に挟まれ  且つ  切り欠き部（４）に収納されるように連結部（１１）の長さを調節する。
（ハ）連結部（１１）の端は    隙間（８）又は貫通孔（１４）から抜けないようにストッパー（１２）を設ける。ストッパー（１２）は隙間（８）または貫通孔（１４）を抜けなければ形状は問わないが  既存の洗濯ばさみの隙間を利用するのであれば靴下等のタグに使用されているプラスチック製の細いＴ字型のものが隙間を通すのに便利である。図６では貫通孔（１４）を通った紐の連結部は結び目をストッパー（１２）としている。
本発明は、以上の構成よりなっている。
本発明を使用するときは  吊り下げた状態で把持部（７）をつまめば狭持部（１）が開き  挟んでいた洗濯物と同時に小片（１０）も落下して狭持片（２）間に挟まり  次に開くときの把持部（７）の手指の動線が短縮される。小片（１０）は切り欠き部（４）に押し込まれないときでも小片（１０）と狭持片（２）にて洗濯物を挟むことができる。
【符号の説明】
【００１０】  １  挟持部
２  挟持片
３  挟持部材
４  切り欠き部
５  支点
６  リング部
７  把持部
８  隙間
９  支点滑動部
１０  小片
１１  連結部
１２  ストッパー
１３  手指
１４  貫通孔
【図１】
2012000404.tif 000003
【図２】
2012000404.tif 000004
【図３】
2012000404.tif 000005
【図４】
2012000404.tif 000006
【図５】
2012000404.tif 000007
【図６】
2012000404.tif 000008
(57)【要約】【課題】人が、交通機関を利用した旅行や通勤・通学などの長時間の移動で居眠りをする際、首を横にすることが多い。この発明は、首を横にして使用することが容易で、尚且つ、寝過ごしを防止する効果のある外出時の携帯用枕を提供する。【解決手段】枕部分（１）に、その両端をつなぐベルト（２）を設け、同じ枕の一部に携帯電話を入れることができるポケットの入り口部（３）を設ける。【選択図】図２
2012000409.tif 000002
【特許請求の範囲】
【請求項１】
携帯可能な大きさの枕と、その枕部分の両端をつなぐベルトを設けたことを特徴とする外出時の携帯用枕。
【請求項２】
枕に開閉可能なポケットを設けた請求項１の外出時の携帯用枕。
【請求項３】
枕の底部に、ベルト固定用の突出した保持片を設けた、請求項２の外出時の携帯用枕。
【請求項４】
携帯可能な大きさの枕の一端に、ショルダーバッグに装着可能な取付け具を設けた、請求項２の外出時の携帯用枕。
【発明の詳細な説明】
【技術分野】
【０００１】  本発明は、旅行や通勤・通学時に携帯し、交通機関で移動する際に使用する事ができる、外出時の携帯用枕に関するものである。
【背景技術】
【０００２】  従来の携帯できる枕は、頭の後ろに当てて使用するものであったため、首を横に倒して使用する事は難しいが、通勤・通学用のための交通機関の座席の多くは進行方向に向って横向きであるため、寝る時は、首を横に傾けることが多く、その際、隣の人に寄りかかって迷惑をかけることなどもある。また、通勤・通学の際は疲れているため、乗り物の中で寝てしまうと、乗り過ごすこともある。
【発明の概要】
【発明が解決しようとする課題】
【０００３】  本発明は、容易に首を横に倒して使用することができ、乗り過ごしを防止する機能のついた外出時の携帯用枕を提供することを目的とする。
【課題を解決するための手段】
【０００４】  携帯可能な大きさの枕の両端を、肩から襷がけできる長さのベルトでつなぐ。枕部分に携帯電話を入れることができるポケットの入り口を設ける。
本発明は、以上の構成よりなる、外出時の携帯用枕である。
【発明の効果】
【０００５】  容易に持ち運びでき、交通機関の座席で、首を横に倒して楽な姿勢で枕を使用することができ、使用時に横に倒れにくくなるため、隣の乗客に迷惑をかけることを軽減できる。ポケット部分には、到着時刻にマナーモードのアラーム設定を施した携帯電話を入れることで、乗り過ごしを防止することができ、また、このポケットに貴重品などを入れることで、防犯の効果もある。
【図面の簡単な説明】
【０００６】
【図１】  本発明の斜視図
【図２】  本発明の他の実施例を示す斜視図
【図３】  本発明の枕部を示す斜視図
【図４】  本発明の他の実施例を示す斜視図
【図５】  図４の実施例をベルトに装着した時の斜視図
【図６】  本発明の他の実施例を示す斜視図
【図７】  本発明の使用状態図
【図８】  本発明の他の使用状態図
【発明を実施するための形態】
【０００７】  以下、本発明を実施するための最良の形態について説明する。
（イ）筒状、箱型、ぬいぐるみやボール型などで形成される枕（１）の両端をつなぐベルト（２）を設ける。ベルトは、紐や鎖でも良い。
（ロ）（イ）の枕部分の一箇所に、面ファスナー（４）もしくはファスナー、ホック、ボタンなどで開閉可能なポケット（５）の入り口（３）を設ける。（図２・図３）
（ハ）筒状、箱型、ぬいぐるみやボール型などで形成される枕（６）の底部（１０）に面ファスナーを用いたベルト固定用の保持片（８）、（９）を配置し、ショルダーバッグ等のベルトを保持片（８）、保持片（９）の間に置き、保持片（８）、保持片（９）を重ねて面ファスナーで閉じてベルトに取り付ける（図５）。図５では、面ファスナーとしたが、他に、ファスナー、ホック、ボタンなどでも良い。また、この枕部分の一箇所に、面ファスナーもしくはファスナー、ホック、ボタンなどで開閉可能なポケットの入り口（７）を設ける。
（ニ）筒状、箱型、ぬいぐるみやボール型などで形成される枕（１２）の一端に、ループ（１５）を設け、着脱可能な紐（１４）をループに付け、ショルダーバッグ等の肩からかけるベルト（１６）に装着できるようにする（図６）。この紐（１４）は、着脱可能なチェーン、小型のベルトなどでも良い。また、この枕部分の一箇所に、面ファスナーもしくはファスナー、ホック、ボタンなどで開閉可能なポケットの入り口（１３）を設ける。
本発明を使用するときは、枕部分（１）を片方の肩に置き、ベルト（２）を襷になるように斜めにかけ、ベルトの端を手で軽く押さえる（図７）。これにより、枕が首に固定されて楽な状態で睡眠をとることができるとともに、ベルトを押さえることで体が首を傾けた方向へ倒れることが軽減され、隣に座る人に寄りかかって迷惑をかけてしまうことを防ぐ。また、ポケット（５）に、到着時刻直前の時間にマナーモードのアラームを設定した携帯電話を入れることで、到着直前にアラーム振動で目が覚め、乗り過ごしを防ぐことができ、通勤、通学の間でも、安心、快適な睡眠をとることができる。
また、形態（ニ）を使用する場合（図８）は、枕（１２）を肩に置き頭を乗せる。頭と肩で挟むことで枕は固定される。また、紐（１４）がついているので枕が落ちることはない。
【符号の説明】
【０００８】１  枕部分
２  ベルト
３  ポケットの入り口
４  面ファスナー
５  ポケット
６  枕
７  ポケットの入り口
８  ベルト固定用の保持片
９  ベルト固定用の保持片
１０  底部
１１  ショルダーバッグ等のベルト
１２  枕
１３  ポケットの入り口
１４  紐
１５  ループ
１６  ベルト
【図１】
2012000409.tif 000003
【図２】
2012000409.tif 000004
【図３】
2012000409.tif 000005
【図４】
2012000409.tif 000006
【図５】
2012000409.tif 000007
【図６】
2012000409.tif 000008
【図７】
2012000409.tif 000009
【図８】
2012000409.tif 000010
(57)【要約】【課題】イベントなどで不特定多数の参加者にうちわを配布することがあるが、単に涼を取るだけのうちわより、娯楽要素を持たせたうちわを提供することで参加者が涼を取る以外の楽しみを提供することが出来る。しかし高価な構造ではイベントなどの大量配布にはコスト的に不向きな面がある。【解決手段】安価で娯楽性を打ち出せるうちわを提供する。一般的な団扇本体１に、部品２を用いて揺動部品３を取り付ける。それにより揺動部品３に可動性を持たせる構造とする。団扇本体１を左右に揺らすことで揺動部品３が左右に揺れ、娯楽性を出すことが出来る。【選択図】図１
2012000408.tif 000002
【特許請求の範囲】
【請求項１】
一般的な団扇本体１に対して部品２を使用して可動部となる揺動部品３を取り付け、うちわを左右に揺らすことで揺動部品３も左右に揺れることを特徴とするうちわ。
【請求項２】
請求項１に記載の可動部となる揺動部品３の形状が、団扇本体１に描かれた人物、キャラクターの腕や足を模したもの、または動物の四肢を模したものなどで構成された請求項１記載のうちわ。
【発明の詳細な説明】
【技術分野】
【０００１】本発明は、一般的に売られているうちわに部品を付与し、付与された部品に可動性を持たせ、簡易的に涼を取る以外の楽しみを提供できるようにしたうちわに関するものである。
【技術背景】
【０００２】うちわは、夏の時期において簡易的に涼を取る手段として古くから使われている。またイベント会場などで来場者配布されたり、宣伝用の媒体として用いられたりもしている。
【０００３】うちわに回転体を取り付け、アクション性を持たせたうちわが提案されている。（例えば、特許文献１参照）
【０００４】また、団扇本体を扇ぐことにより団扇本体の縁面部に別の動きを付与する団扇が提案されている。（例えば、特許文献２参照）
【特許文献】
【０００５】
【特許文献１】特許公開２００７−１１１２１９
【特許文献２】特許公開２００５−８１０５４
【発明の概要】
【発明が解決しようとする課題】
【０００６】イベントなどで不特定多数の参加者にうちわを配布することがあるが、単に涼を取るだけのうちわより、娯楽性を持たせたうちわを提供することで参加者が涼を取る以外の楽しみを提供することが出来る。しかし特許文献１にあるような構造では構成する部品も多く、また高価であるためイベントなどの大量配布にはコスト的に不向きな面がある。また、特許文献２にあるようなうちわの構造は、うちわ本体を扇ぐことに伴う揺動であるため動的表現が限定されてしまう。また、揺動小片の固定方法が粘着テープなどという点から、通常の使用において比較的早い段階で使用不能になってしまうことが考えられる。【０００７】そこで本発明は大量配布において安価に量産できる構造を持ち、うちわを扇ぐ動作とは別の動作を行うことで娯楽性を出すことの出来るうちわを提供することを目的とする。
【課題を解決するための手段】
【０００８】先に述べた課題を解決するため、本発明では一般的な団扇本体１に、部品２を用いて揺動部品３を取り付けたうちわを提供するものとする。
部品２は、例えば図３に示すような構造のものであり、金属製または樹脂製から成るものである。部品２の構造は一例であり、これに限定するものではない。【０００９】部品２を使用して団扇本体１と揺動部品３を取り付ける。それにより揺動部品３に可動性を持たせることが可能になり、団扇本体１を左右に揺らすことで揺動部品３が左右に揺れ、娯楽性を出すことが出来る。
【発明の効果】
【００１０】構造がシンプルでコスト的にも安価であるため、大量配布に向いている。揺動部品３の形状やデザインは自由にできるので様々な場面に合せた当該うちわを提供することが可能となる。例えばコンサート会場などで当該うちわを配布し、観客がステージに向かって動的要素を持った当該うちわを左右に揺らすことで、ステージに立つ主催者と観客との一体感が一層増すなどの効果が期待できる。
また、従来の団扇と同様に涼を取ることも可能である。
【図面の簡単な説明】
【００１１】
【図１】本発明に係わるうちわの全体図である。
【図２】同じく本発明における他例の全体図である。
【図３】部品２を使用した取付け方法の一例である。
【発明を実施するための形態】
【００１２】図１は本発明に係わる団扇本体１に人物Ａを描き、揺動部品３は人物Ａの腕を表現したもので構成したうちわの全体図である。図２は団扇本体１に動物Ｂを描き、揺動部品３は動物Ｂの手足を表現したもので構成したうちわの全体図である。
図３は部品２を使用した取付け方法の一例である。
【００１３】本発明に係わるうちわは、図１のように従来から一般的に流通している団扇本体１に部品２を利用して揺動部品３を取り付けた構成としている。
【００１４】団扇本体１の構成としては、図３を例にとると人物Ａの肩にあたる部分に部品２を取り付けるための適切な大きさの取付け穴６を開けたものとなる。
また、図１で示した団扇本体１は把持部４を持つ構造となっているが、これに限らず図２のように例えば把持部４の代わりにうちわ本体下側に親指を挿入する穴５を設けた団扇本体１であってもよい。
【００１５】部品２は、例えば図３に示すような構造のもので金属または樹脂製で成るものとする。取り付け用の穴を開ける程度で済むため施工や取り付けが容易であり、また施工後は簡単には取り外しの出来ないものとする。また、図３に示した部品２の構造は一例であり、団扇本体１と揺動部品３を組み合わせた際に揺動部品３に可動性を持たせられる構造であれば、図３に示した部品２の構造に限る必要は無い。
【００１６】揺動部品３の構成としては図３を例にとると、団扇本体１に描かれた人物Ａの腕を模したものとなる。こちらも肩にあたる部分に部品２を取り付けるための適切な大きさの取付け穴６を開けたものとなる。
【００１７】部品２を使用した団扇本体１と揺動部品３の取付け方法を図３に示す。適切な大きさの取付け穴６を開けた団扇本体１と揺動部品３を部品２で挟み込むように取り付ける。団扇本体１に揺動部品３が取り付いた状態になると、部品２を支点にして揺動部品３が可動性を持つことになる。
また図３に示した部品および取り付け方法は一例であり、これに限定するものではない。
【００１８】揺動部品３が可動性を持った状態の団扇本体１を左右に揺らすことで、揺動部品３もうちわの動作に伴い左右に揺れることとなる。図１は人物Ａを表現した全体図となっており、人物Ａの肩の部分を支点として人物Ａの腕を表現した揺動部品３の構成となっているため、団扇本体１を左右に揺らすことで、団扇本体１に描かれている人物Ａが握手を求める様子が表現できる。
【００１９】図２は団扇本体１に動物Ｂを描いた場合の全体図となっており、例えば揺動部品３を動物Ｂの手足を表現したものにし、うちわを左右に揺らすことで、団扇本体１に描かれている動物Ｂが歩くまたは走っている様子が表現できる。
【符号の説明】
【００２０】Ａ、人物
Ｂ、動物
１．団扇本体
２．部品
３．揺動部品
４．把持部
５．穴
６．取付け穴
【図１】
2012000408.tif 000003
【図２】
2012000408.tif 000004
【図３】
2012000408.tif 000005
(57)【要約】      （修正有）【課題】ロール紙から簡単、且つ、容易に使用する紙を取り出せるようにする。【解決手段】ロール紙の切断板の切断面を凸凹にし、且つ、切断板の裏面に、板バネを取り付ける。【選択図】図１
2012000438.tif 000002
【特許請求の範囲】
【請求項１】
現在設置、使用されている、ロール式トイレット、ペーパーの器具を改良、使用紙をより簡単、確実、且つ、衛生的に取り出すことの出来る器具
【請求項２】
上記の器具に装置される部品、及び、形態。
【発明の詳細な説明】
【技術分野】
【０００１】この器具は、ロール紙から使用紙を簡単に取り出すことが出来る。
【技術背景】
【０００２】現在、使用されてゐる多くの器具は、ロール紙から使用紙を取り出す時、苦心することが多々ある。これを解決するもの。
【発明開示】
【発明が解決しようとする課題】
【０００３】課題は、使用紙をロール紙から簡単、且つ、容易に取り出せるようにすることである。
【課題を解決するための手段】
【０００４】前記の難点を解決するため、切断板の形態の工夫と、その裏面に特殊なバネを取り付けることにより解決する。
【発明の効果】
【０００５】この切断板を取り付けることにより、使用紙がロール紙から離れ、且つ切断板も浮き上って取り出しが簡単に出来る。
【発明を実施するための最良の形態】
【０００６】切断板の切断面を図〔Ｂ〕（ａ′）、〔Ｃ〕（ａ″）の様に凸凹にし且つ、その裏面には図面〔Ｂ〕（ｂ′）、〔Ｃ〕（ａ′）（ｂ′）（ｃ）のバネを取付ける。
【実施形態の効果】
【０００７】〔Ｂ〕（ａ′）、〔Ｃ〕（ａ′）の切断板によって切られた使用紙は切断箇所が波型になって、ロール紙から浮離し、引出し易くなり、且つ、切断後は切断板の裏面に取り付けられた、板バネの作用により一層取り出しが容易になる。
【図面の簡単な説明】
【０００８】
【図１】図面〔Ａ〕（ａ）（ｂ）は従来の型で切断板が直線である。図面〔Ｂ〕（ａ′）（ｂ′）は改良型である。図面〔Ｃ〕（ａ″）（ｂ″）（ｃ）は切断板に取付けられた板バネである。注．板バネは、切断板を支え上げる程度の強さのものでよく、薄くてしなりのよいものが、最上である。板バネは切断板に一ヶ所のみ固定。
【図１】
2012000438.tif 000003
(57)【要約】【課題】従来のペダル運動具では運動時に両膝が左右にブレて正確な運動が出来ずストレッチ、整体効果が少なかった。本発明は疲労回復、腰痛、肩コリ等が改善されるペダル運動具を提供する。【解決手段】両膝の運動時に左右のブレが無い様に内側及び外側に壁を設ける、両ペダル及び内外壁は両股関節幅以内になる様に設定する。【選択図】図２
2012000437.tif 000002
【特許請求の範囲】
【請求項１】
運動時両膝の当る位置に内外両壁を設けるその位置は両股関節幅以内でペダル運動時に膝の左右のブレを無すこと及び運動時に下肢全体一直線に（足、膝、股関節の３点）運動する様に設定したペタル運動具。
【発明の詳細な説明】
【技術分野】
【０００１】本発明は軽いペダル運動で疲労回復、腰痛、肩コリ等が改善されるペダル運動具に関するものである。
【背景技術】
【０００２】従来、この種の運動具は自転車から車輪を除去した丈けの常態であった。
【先行技術文献】
【０００３】
【発明の概要】
【発明が解決しようとする課題】
【０００４】従来具では正確な下肢運動が出来ず大きな効果は得ることが出来なかった。
【発明が解決するための手段】
【０００５】両ペダルの間隔を狭め膝が運動時の左右ブレ止め壁を左右に設ける、ペダル間隔幅は両股関節幅以内、以上の構成によりなるペダル運動具。
【発明の効果】
【０００６】従来効果が少なかった運動効果（疲労回復、腰痛、肩こり等）が本発明により効果を大きく期待出来る。
【図面の簡単な説明】
【０００７】
【図１】本発明の斜視図
【図２】本発明の後面図
【発明を実施するための形態】
【０００８】以下本発明の実施の形態を説明する。
（イ）本体（５）に運動時両膝の当る内側と外側に内側壁（２）及び外側壁（４）を設ける。
（ロ）ペダル（６）は運動時下肢全体が両股関節の幅以内で運動する様に設定する。
本発明は以上の様な構造である。
本発明を使用する時は外側壁（４）は可動式にし各個人の位置に設定する。
【符号の説明】
【０００９】（１）ハンドル  （２）内側壁  （３）サドル  （４）外側壁
（５）本体      （６）ペダル
【図１】
2012000437.tif 000003
【図２】
2012000437.tif 000004
(57)【要約】【課題】    従来の一般家庭での入浴中での半身浴は浴槽に適度の温度と適量のお湯を入れて行われます。しかし、これでは入浴中にお湯の温度が下がってしまい体が冷えてしまいます。それを補う為にお湯の追加及び、追い焚きをしなければなりません。それでは、光熱費が高くなり非効率的であり日常的に簡単には半身浴が出来ません。【解決手段】  浴槽用カバーに可変カバーを設置することにより浴槽内での適温状態でのお湯により浴槽に蓋をした状態で可変カバーを上部に引きあげて適度の調整で顔や頭が出せて下半身は浴槽内の状態で簡単に半身浴が可能です。浴槽カバー全体が蓋の役目を補う事によってお湯の保温効果ができます。又、半身浴的専門機器では、価格、大きさ、重さ、専門知識、設置場所等など一般家庭ではとても無理であります。  よって当発明品は安全、簡単、コンパクト収納、低価格、低費用で提供できます。【選択図】図３
2012000431.tif 000002
【特許請求の範囲】
【請求項１】
浴槽用のカバーに可変カバーを備えた半身浴器具。
本体前方に開閉機能及びサイズ調整可能な小カバーを備えた器具である。
【発明の詳細な説明】
【技術分野】
【０００１】  本発明は、一般家庭でお風呂用の浴槽カバー兼用で入浴用のお湯の水蒸気の熱による発汗作用を促進する器具に関する。
【背景技術】
【０００２】  従来のお風呂用の浴槽カバーは、湯冷め防止でお湯の保温の為であります。
【先行技術文献】
【０００３】
【非特許文献１】
【０００４】  既存型カバーとしては、浴槽製造メーカーで浴槽とセット販売になっています。又、各ホームセンター等でも数点販売しています。
そして、半身浴専用は、業務用で高額である。
【発明の概要】
【発明が解決しようとする課題】
【０００５】  以上に述べた従来の既存型のカバーでは、半身浴が容易には出来にくく、お湯が冷めてしまい、お湯の注ぎ足し又は、追い焚きをしなければなりません。寒い時期では余分に光熱費がかかります。又、肩など体が冷えてしまいます。【０００６】  本発明は、適度の水量のお湯の温度にて首から肩及び、下半身を重点に発汗作用を促し安全性と経済性にて簡単に半身浴が出来てダイエット・ストレス解消・血行を良くし冷え性を改善が目的。
【課題を解決するための手段】
【０００７】  そして、本発明は上記目的を達成するために使用時に顔や頭が簡単にだせて邪魔にならない部分を図１、図２のように配設し浴槽カバー兼用として作成する。【０００８】  また、第２の課題解決手段は、図３のようにカバー上部から顔が出せる為、ノボセや首周りの圧迫を無くす為にサイズを調整可能にします。【０００９】  上記の課題解決手段による作用は次の通りです。すなわち、簡単にサイズ変更ができ、浴槽カバーとしての役目も補い、サイズ変更が簡単で小さくして収納する事もできます。
【発明の効果】
【００１０】  上述したように本発明のカバーは半身浴が簡単にできて適度の水量と低い水温でもサウナの様な発汗効果があり自分の好きな時間で使用可能である。又、首などにタオル等巻いたりできます。本品は、お手入れが簡単で汚れた場合は洗う事もできます。そして、浴槽の大きさにも対応できます。又、浴槽内で居眠りした場合でも浴槽内の水量が低いので溺れたりしないので安全である。【００１１】  よって、本発明の目的は、半身浴が簡単、安全、安価、低コストが目的であります。
【図面の簡単な説明】
【００１２】
【図１】（上部全体図）上部から見た全体の寸法図面
【図２】（前面図）前方から見た図面
【図３】（横からの可変図）真横から見た図面
【図４】（右斜め前方図）斜めから見た可変状態時の図面
【発明を実施するための形態】
【００１３】  以下、本発明の実施の形態を図１〜図４に基づいて説明する。
【００１４】  図においては、１は上から見た全体像の大きさ（寸法ＡからＧ）を表しています。
【００１５】  また、本発明品の使用素材はポリプロピレンで形成しています。裏側の素材に折りたたむ事が出来るようにシリコンゴムを使用。抗菌・防カビ仕様です。そして、折りたたむ事ができるようにキャタピラ状に作成します。
【００１６】  図２については、前面からの構造では５に関しては脱着可能の為に段差を設け上部６（図３−Ｈ）の受け皿の役割を果すように作成します。そして、その段差の受けの部分には強化磁石を設置しシリコン樹脂で覆い隠し又、上部６（図３−Ｈ）の一部分にも強力磁石を付けシリコン樹脂で覆い隠し５の部分と密着可能にします。
【００１７】  図３においては、横からの可変図で上記図２で説明の補足でＨ部分が上に開閉可能し首周りになる部分の箇所は山折れになり調整可能になります。又、この箇所においては、動きが繊細になる為に折り曲げの素材の作りが全体の素材とは異なり細かくキャタピラ状にします。
【００１８】  図４においては、右斜め前方からの図で、図３Ｈ部分の上に開いた展開図である。可変動作は〔００１７〕図３の説明事項に準じる。
【符号の説明】
【００１９】  ５  強力磁石
６  強力磁石
Ｌ  シリコンゴム
【図１】
2012000431.tif 000003
【図２】
2012000431.tif 000004
【図３】
2012000431.tif 000005
【図４】
2012000431.tif 000006
(57)【要約】【課題】  椅子の形状はほぼ座と脚が一体のデザインばかりであった。座った時に自重を直下で受ける〈既成概念〉為デザインもそんなに変化が得られなかった。座った時の動きも安楽チェア、片持ちの椅子でも決まったものがあった。【解決手段】  直下で受けない形態はないか、又、コンパクトに納めるデザイン等の既成概念を排除するコンセプトで生まれました。座の後方に伸びた棒状のもの、ウェイトがその例で、斬新で面白いと思いました。座った時にも揺れ方が今までに無い揺れ、と期待するところです。【選択図】図３
2012000436.tif 000002
【特許請求の範囲】
【請求項１】
天秤、シーソーのように中間に支点を持ち、一方に座る座を他方にウェイトを置いた支点を持った揺れる椅子。
【請求項２】
座る部分、支点の部分、ウェイトの部分は取替えが可能な支点を持った揺れる椅子。
【発明の詳細な説明】
【技術分野】
【０００１】  本発明は座る部分〈以下座〉と重り〈以下ウェイト〉の中間に支点〈脚〉を持つものである。
【背景技術】
【０００２】
【発明の概要】
【発明が解決しようとする課題】
【０００３】  座とウェイトを繋ぐ棒状のものの材料に強度を持たせ、細く見せ、支点部分において座から受ける力の分散、受け入れる形状のものはなかった。
【課題を解決するための手段】
【０００４】  天秤、シーソーのように中間に支点を持ち、一方に座る座を他方にウェイトを置いた支点を持った揺れる椅子。
座る部分、支点の部分、ウェイトの部分は取替えが可能な支点を持った揺れる椅子。
【発明の効果】
【０００５】  今までに見たことが無い、と思われるようなデザインで好奇心等心理的効果を得、上下左右の複合的揺れを得ることで安楽的、遊戯的、健康的効果を得る。
【図面の簡単な説明】
【０００６】
【図１】平面図
【図２】正面図
【図３】右側面図
【図４】背面図
【発明を実施するための形態】
【０００７】  天秤、シーソーのように中間に支点を持ち、一方に座る座を他方にウェイトを置いた支点を持った揺れる椅子。
座る部分、支点の部分、ウェイトの部分は取替えが可能な支点を持った揺れる椅子。
【符号の説明】
【０００８】  １  座        ２  支点        ３  ウェイト
【図１】
2012000436.tif 000003
【図２】
2012000436.tif 000004
【図３】
2012000436.tif 000005
【図４】
2012000436.tif 000006
(57)【要約】【課題】  熱傷、擦り傷、床ずれ、に今まで用いられた湿潤療法では、患部にラップもしくは、湿潤療法用パッドを貼ったり、巻きつけた後、特に熱傷の場合患部が熱を帯びたり、痛みは放置されたままで有った。【解決手段】  本発明のパッドをその上から使用すると、冷却作用及び鎮痛作用を発揮し即座に、患者の苦痛を和らげる。しかも間接的であるため幹部に極度の刺激を避けられ、かぶれ、その他の副作用を抑えられる利点もある。そして、湿潤療法のみより早く完治するという最大の利点もある。【選択図】図１
2012000432.tif 000002
【特許請求の範囲】
【請求項１】
熱傷、擦り傷、床ずれ、に今まで用いられて来た湿潤療法では、後に、特に熱傷の場合患部が熱を帯びたり、痛みは放置されたままで有った。本発明のパッドをその上から使用すると、冷却作用及び鎮痛作用を発揮し即座に、患者の苦痛を和らげる。しかも間接的であるため幹部に極度の刺激を避けられ、かぶれ、その他の副作用を抑えられる利点もある。そして、湿潤療法のみより早く完治するという最大の利点もある。
【請求項２】
前記、請求項１の湿潤療法用に冷却作用のみを追加したパッド
【発明の詳細な説明】
【技術分野】
【０００１】  本発明は、熱傷、擦り傷、床ずれ、に今まで用いられた湿潤療法の上から、冷却作用及び鎮痛作用を追加したパッドを貼り、今までの湿潤療法に無かった、即座に冷却と痛み止め効果を発揮し、そして、湿潤療法より早く完治するという最大の利点もあるパッドである。
【背景技術】
【０００２】  湿潤療法とは、１９８０年代に、湿潤環境を保ち傷を治すという概念がＷＯＣ看護認定看護士らによりアメリカから紹介されていた。在日本では、食品用ラップフイルムを用いて湿潤療法が行われています。
【先行技術文献】
【特許文献】
【０００３】
【特許文献１】  特許公開２００８−２００３４１
【０００４】
【発明の概要】
【発明が解決しようとする課題】
【０００５】  従来の湿潤療法や、特許文献１では、患部を冷却したあと湿潤療法を行うが、その後特に熱傷の場合患部が熱を帯びたり、痛みは放置されたままで有った。
【課題を解決するための手段】
【０００６】本発明は、湿潤療法により、傷に巻かれたり、貼られたラップ７や特許公開２００８−２００３４１のパッドの上から、間接的にパッドを、巻いたり貼付けたりし、冷却作用及び鎮痛作用を及ぼし即座に冷却、鎮痛作用を発揮し患者の苦痛を和らげる。しかも間接的であるため幹部に極度の刺激を避けられ、かぶれその他の副作用を抑えられる利点もある。そして、湿潤療法より早く完治するという最大の利点もある。
【発明の効果】
【０００７】  本発明は、湿潤療法より早く完治するが、特に熱傷については効果は絶大である。
【図面の簡単な説明】
【０００８】
【図１】本実施形態の立体概念図
【発明を実施するための形態】
【０００９】  以下、本実施形態の湿潤療法用に冷却作用及び鎮痛作用を追加したパッド１について、図１を参照しながら説明する。
【００１０】１全体が湿潤療法用に冷却作用及び鎮痛作用を追加したパッドであり、構成はパッド下地２、冷却鎮痛ジェル３、保護フィルム４である。使用方法は保護フィルム４をはがし適切な大きさにパッド１を切り取り使用する。
【００１１】  従来の湿潤療法は、患部５にラップ６を巻きつけるだけであったり、テープ７でラプ６を固定するまでであった。しかし熱傷の場合ラップ６を巻きつけると患部がより熱く感じたり、痛みも増すと言う副作用もあった。擦り傷、床ずれについても熱く不快に感じる場合が多かった。本発明のパッド１を、図１の如く湿潤療法で使用されている、ラップ６より少し大きめに切り取り、その上から貼り付け、テープ７で固定すると完了である。冷却鎮痛され、すぐに苦痛が和らぐばかりでなく、患部も早く完治する。
【００１２】  自分の患部で実証済みであり。同じ程度の熱傷の場合、湿潤療法では１０日で完治湿潤療法の上から冷却作用及び鎮痛作用を追加したパッドを貼り付けた治療の場合６日で完治し副作用も、苦痛も無かった。
【産業上の利用可能性】
【００１３】  医療分野、介護分野、家庭での応急処置、熱傷の多い仕事場での応急処置
【符号の説明】
【００１４】１  湿潤療法用に冷却作用及び鎮痛作用を追加したパッド
２  パッド下地
３  冷却鎮痛ジェル
４  保護フィルム
５  患部
６  ラップもしくは、湿潤療法用パッド
７  テープ
【図１】
2012000432.tif 000003
(57)【要約】      （修正有）【課題】家庭で気軽に家事をしながらでもできる、首用美容パックマスクを提供する。【解決手段】美容化粧水を含ませたパック布ａを首に密着させ固定する方法として、首の高さの幅で喉から両耳下までの長さの長方形のパック布ａ本体の両サイドに、各上下２本幅広テープｂを付けそれをそれぞれ互いの反対側の喉元まで届く長さにして巻き、上下のテープそれぞれを喉元で接着することにより、パック布本体を固定することができ、尚且つ、パック布が首から浮いたりずれたりしないようにする。【選択図】図１
2012000414.tif 000002
【特許請求の範囲】
【請求項１】
首の喉まわりを美容パックするのに使用するもので、首の高さの幅で喉もとから両耳下まで覆う長さの長方形のパック用化粧水を含ませる不織布に、その化粧水を外に滲み出さないようにする不織布のカバーをして、上下の長い辺を内側に少し折り曲げ化粧水の垂れを防止したパック用本体に、左右それぞれの端に各上下２本の幅広テープを付け、それをそれぞれ両方から後ろ首にまわしクロスさせ前にまわし喉もとで、両方のテープの端を接着し固定できるようにして、パック用本体が首からずれたり浮いたりしないようにしたことを特徴とする、首用美容パック用品。
【発明の詳細な説明】
【技術分野】
【０００１】本発明は、首まわりで特に喉のまわりを美容パックするもの。
【背景技術】
【０００２】パック用美容化粧水を染込ませる不織布と、それを浸透させない不織布を組み合わせて喉もとに密着させる。
【発明の概要】
【発明が解決しようとする課題】
【０００３】女性にとって老化によるしわは大敵だが、首を見ると年齢がわかるくらい一番に老化のしわがでる。しかし日々の手入れの時首まわりは後回しになることが多く、美容パック等も位置・形状的に自分自身でするのが困難なのも後回しになる一因でもある。また、日々家事等忙しくしていると、ついつい忘れがちになってしまうので、簡単に装着でき家事等こなしながら美容パックできるものを発明した。
【課題を解決するための手段】
【０００４】本発明は、首まわりの美容パックを簡単にできるようにするもので、首の筒状という形状とよく動かす部位という条件で、家庭での美容パックはかなり困難ではあるが、美容化粧水を含ませたパック布を首に密着させ固定する方法として、首の高さの幅で喉から両耳下までの長さの長方形のパック布本体の両サイドに、各上下２本幅広テープを付けそれをそれぞれ互いの反対側の喉元まで届く長さにして巻き、上下のテープそれぞれを喉元で接着することにより、パック布本体を固定することができ、尚且つ、パック布が首から浮いたりずれたりしないようにすることができる。また、パック布から化粧水がにじみ出ないように、浸透しない不織布をカバーにして上下それぞれを内側に少し折り曲げることにより、家事等をしていても化粧水が滴り落ちることもなく、また衣類等に付着することもないので、家庭で首まわりの美容パックが簡単にできるのである。
【発明の効果】
【０００５】首も顔の一部で手入れを怠ると大変なことになる。特に首は年齢が出やすいので、念を入れて手入れをしなくてはならないが、この首用美容パックマスクは装着が簡単なので日々の手入れの時いっしょにできる上、衣類に付着する心配もいらず、装着したままで家事等もできる。
【発明を実施するための形態】
【０００６】パック本体は首に巻くのであまり厚くないほうがよい。また両端に付けた装着用テープは、パック布本体を固定し、首から浮いたりずれたりしないようにするための物なのでその役目が果たせる幅、本体を押さえることができる幅でないと意味がない。
【図面の簡単な説明】
【０００７】
【図１】  首用美容パックマスク  全体図・本体断面図
【図面の符号の説明】
【０００８】ａ    美容パック化粧水を含ませる本体
ｂ    首に巻き付け装着するためのテープ
ｃ    テープを止めるための接着部分
ｄ    化粧水を含ませる本体不織布
ｅ    化粧水を滲み出さないためのカバー不織布
【図１】
2012000414.tif 000003
(57)【要約】【課題】  断面を四角くしたリング台を使った指輪をはめると、指の根元まではめても安定して回らない。【解決手段】指輪のリング台の断面を四角くしたのが特徴である。【選択図】図１
2012000418.tif 000002
【特許請求の範囲】
【請求項１】
指輪のリング台の断面の形状を四角くした部分
【発明の詳細な説明】
【技術分野】
【０００１】  この発明は、指輪のリング台の断面を四角にする事に関するものである。
【背景技術】
【０００２】  従来、指輪のリング台の断面は円形であった。
【先行技術文献】
【０００３】
【特許文献１】
【非特許文献１】
【発明の概要】
【発明が解決しようとする課題】
【０００４】  従来指輪のリング台の断面は円形であり、太い節に合わせたサイズにすると、はめて指の付け根まで来るとくるくる回って落ち着かなかった。
【課題を解決するための手段】
【０００５】  指輪のリング台の断面を四角くすることによって、はめて指の付け根まで来ても回らなくなった。なぜなら指の付け根の断面は四角だからである。
【発明の効果】
【０００６】  指輪のリング台の断面を四角くすることによって、はめて指の付け根まで来ても回らなくなり、さらに指輪の手のひらの側に物が当たった場合の衝撃が少なくなり、リングをはめている下の部分の手のひらのところにでき易いまめもなくなった。
【図面の簡単な説明】
【０００７】
【図１】本発明の斜面図である。
【図２】本発明の断面図である。
【発明を実施するための形態】
【０００８】  以下、本発明を実施するための最良の形態について説明する。
指輪を必要とする人の必要とする指の幅と高さをノギスで計測する。リング台を製作する時、幅に関しては０．１ミリ〜０．５ミリの余裕が必要である。高さに関しては、３ミリ以上の余裕をもってリング台を作る。なぜならば指の幅の部分には骨の外にあまり皮下組織の厚みがない。しかし高さの部分には皮下組織が多く、また指輪をはめるとき指輪を若干持ち上げてはめる傾向がある。また少し指を曲げてはめる傾向もあり、それにつれて周りの皮下組織や表皮が持ち上げられるため高さには幅よりも余裕が必要である。こうして若干縦長の四角いリング台を作り角を少し丸くする。
この断面が四角いリング台を使用し、リング台自身にデザインをつけるなり、また宝石を配置するなどし、外側に関してはいろいろなデザインが考えられ、またリング台の奥行などは自由である。
外側のデザインがどのようなものであれ、リング台の断面を「角を少し丸くした四角いリング台」にすることにより指の付け根で指輪が回って不愉快な思いをすることがない。
【符号の説明】
【０００９】  １  リング台の幅
２  リング台の高さ
３  リング台の奥行
４  リング台の角
【図１】
2012000418.tif 000003
【図２】
2012000418.tif 000004
(57)【要約】【課題】  従来のように雑然と置かれたスリッパの整理、整頓のために左右のスリッパがマグネット又はゴム系マグネットで吸着し、離れなくし、又、スリッパを自立で立てることで置き場所をとらず、スリッパの上を歩かなくなり、清潔な立つスリッパである事を課題としている。又、この構造はサンダル、下駄、雪駄等にも応用できる。【解決手段】  スリッパ本体１の底部中心部より後方に複数個のマグネット又はゴム系のマグネット板Ａ２・Ｂ３・Ｃ４などを埋め込み又は貼り付け、左右のスリッパを吸着し、その吸着した２個のスリッパが自立で立ち、保管することにより、スリッパの置き場所をとらず、整理整頓され、スリッパの上を歩くことがなくなり、清潔な、綺麗なよい環境ができることを目的としている立つスリッパ。【選択図】図１
2012000413.tif 000002
【特許請求の範囲】
【請求項１】
スリッパ本体１の底部中心部より後方にマグネット又はゴム系マグネット板Ａを設けた立つスリッパ。
【請求項２】
スリッパ本体１の底部後方部四角の踵部にマグネット又はゴム系マグネットＢを設けた請求項１記載の立つスリッパ。
【請求項３】
スリッパ本体１の底部後方部両側面にマグネット又はゴム系マグネットＣを設けた請求項１又は２記載の立つスリッパ。
【請求項４】
スリッパ本体に四角形状の踵部を持ったサンダル、下駄、雪駄にもマグネット又はゴム系のマグネットを設けることで各左右を吸着し、又、立つ請求項１〜３に記載の立つスリッパ。
【発明の詳細な説明】
【技術分野】
【０００１】  本発明は、スリッパ本体底面、両側面、四角の踵部分周辺にマグネットを複数個取付けたスリッパに関するものである。
【背景技術】
【０００２】  従来からスリッパは部屋、玄関、入り口など出入口に近い場所に整頓、又は無造作に脱ぎ捨てるか、そろえて置くとか、スリッパ立てに差し込むか、スリッパ入れにいれるなどであり、一般的に家庭では整頓されているが、人の集まる集会所、小さな病院、事務所などでは無造作に置かれておるのが普通である。
【特許文献１】  特開２００８−１７３４２２
【特許文献２】  特開平９−２８９９０１
【発明の開示】
【発明が解決しようとする課題】
【０００３】  それには次のような問題点があった。
小さな病院とか、集会所とか、靴を脱いで、スリッパに履き替える場所などはスリッパ入れに無造作に入れてあるか、履物入れにスリッパが置いてありスリッパを取り出して履き、又は、スリッパを選んで取り出し、代わりに靴をいれていた。家庭、マンション、事務所などでもスリッパ立てに入っているスリッパを取り出し、履いているか廊下にスリッパが置いてあり、広い場所を占領しているのが現状であり、これらの漠然とした状態を解決するために、そしてスリッパの置く占有面積を小さくするための解決方法である。
【課題を解決する手段】
【０００４】  スリッパ本体１の底部中心部より後方、複数箇所にマグネット又はゴム系のマグネット板Ａ２・Ｂ３・Ｃ４を埋め込み又は貼り付け、各左右のスリッパを吸着し、該その吸着した２個のスリッパを立てて、保管することにより、スリッパが場所とらず、整理整頓され、スリッパの上を歩くことがなくなり、清潔な、綺麗なよい環境ができる事を目的とする。
【発明の効果】
【０００５】  本発明により、従来と雑然と置かれた状態とは違い、左右のスリッパがマグネットで吸着し、床の上のスリッパの整理・整頓が楽になり、又、スリッパが立つため場所もとらなく片隅に並べて置くことができ、雑然と置かれたスリッパの上を歩くこともなく、保管が楽になり、衛生的である。又、スリッパ以外に底部を四角形状にした、サンダル・下駄・雪駄にも応用できる効果が期待される。
【発明を実施するための最良の形態】
【０００６】以下、本発明の実施の形態を説明する。
スリッパ本体の底部中心部より後方に複数箇所にマグネットシート又はゴム系のマグネット板などを埋め込み又は貼り付け、左右のスリッパを吸着し、該その２個のスリッパを立てて、保管することにより、スリッパが場所とらず、整理整頓され、スリッパの上を歩くことがなくなり、清潔な、綺麗なよい環境ができる。又、四角い踵にすればスリッパ以外にもサンダル、下駄、雪駄にも応用できる。
本発明は、以上の構成よりなっている。
【図面の簡単な説明】
【０００７】
【図１】  本発明のスリッパの正面図
【図２】  本発明のスリッパの背面図
【図３】  本発明のスリッパの右側面図
【図４】  本発明のスリッパの左側面図
【図５】  本発明のスリッパの平面図
【図６】  本発明のスリッパの底面図
【図７】  本発明の立った実施の正面図
【図８】  本発明の立った実施の平面図
【図９】  本発明の壁等に立った実施の正面図
【符号の説明】
【０００８】  １  スリッパ・サンダル・下駄・雪駄本体
２  マグネット板Ａ
３  マグネット板Ｂ
４  マグネット板Ｃ
【図１】
2012000413.tif 000003
【図２】
2012000413.tif 000004
【図３】
2012000413.tif 000005
【図４】
2012000413.tif 000006
【図５】
2012000413.tif 000007
【図６】
2012000413.tif 000008
【図７】
2012000413.tif 000009
【図８】
2012000413.tif 000010
【図９】
2012000413.tif 000011